(57)【要約】【課題】所望の処理を実行させるために必要となる充電時間をユーザに対して通知する電子機器を提供する。【解決手段】電子機器の充電が開始された場合（Ｓ１１：ＹＥＳ）、充電式電池の残量容量と、表示パネルに表示させる表示データを所定の回数書き換える場合に必要となる目標容量とから、目標容量を充電する場合の終了時刻が決定される（Ｓ１３）。決定された終了時刻が表示パネルに表示され（Ｓ１５）、電池への充電が開始される（Ｓ１７）。現在時刻と終了時刻とが比較され（Ｓ２３）、双方が一致した場合（Ｓ２３：ＹＥＳ）、目標容量の充電が終了したので、充電が完了したことを通知する情報を表示パネルに表示させる（Ｓ２５）。ユーザは、表示データを所定の回数書き換える処理を電子機器に実行させるために、どの位充電を行わなければならないかをあらかじめ認識できる。【選択図】図７
2011036042.tif 000002
【特許請求の範囲】
【請求項１】
充電式電池を電源として動作する電子機器であって、
前記充電式電池に残存する容量である残存容量を特定する容量特定手段と、
前記電子機器が所定動作を行う場合に必要となる前記充電式電池の容量である目標容量を決定する第一決定手段と、
前記第一決定手段によって決定された前記目標容量と、前記容量特定手段において特定された前記残存容量とから、前記充電式電池の容量が前記目標容量となるまで前記充電式電池を充電する場合に必要な時間である充電時間を決定する第二決定手段と、
前記第二決定手段において決定された前記充電時間に基づいて、前記充電式電池に対する前記目標容量までの充電が完了する時期を示す終了時期情報を決定する第三決定手段と、
前記第三決定手段によって決定された前記終了時期情報をユーザに通知する通知手段と
を備えたことを特徴とする電子機器。
【請求項２】
表示中の像を書き換える場合にのみ電力を必要とし、電力の供給が断たれても前記像を保持することが可能な不揮発性の表示手段を備え、
前記第一決定手段は、
前記所定動作として前記表示手段に表示中の前記像の書き換えを行う場合の書き換えの回数と、書き換えに必要な一回当たりの容量とに基づいて、前記目標容量を決定し、
前記通知手段は、
前記表示手段に前記終了時期情報を表示させることによってユーザに通知することを特徴とする請求項１に記載の電子機器。
【請求項３】
前記像の書き換えを行った回数が記憶される第一記憶手段と、
前記第一記憶手段に記憶されている前記回数に基づいて、所定期間内に行われた書き換えの回数の平均である平均回数を決定する平均決定手段と
を備え、
前記第一決定手段は、
前記平均決定手段において決定された前記平均回数分の前記像の書き換えを行う動作を前記所定動作として行う場合に必要となる前記目標容量を決定することを特徴とする請求項２に記載の電子機器。
【請求項４】
前記像の書き換えを行った回数が記憶される第一記憶手段と、
前記第一記憶手段に記憶されている前記回数に基づいて、所定期間毎の累計回数の最大である最大回数を決定する最大決定手段と
を備え、
前記第一決定手段は、
前記最大決定手段において決定された前記最大回数分の前記像の書き換えを行う動作を前記所定動作として行う場合に必要となる前記目標容量を決定することを特徴とする請求項２に記載の電子機器。
【請求項５】
前日に前記像の書き換えを行った回数が記憶される第二記憶手段を備え、
前記第一決定手段は、
前記第二記憶手段に記憶されている前記回数分の前記像の書き換えを行う動作を前記所定動作として行う場合に必要となる前記目標容量を決定することを特徴とする請求項２に記載の電子機器。
【請求項６】
前記表示手段に表示させる前記像のデータである表示データを特定する表示データ情報と、前記表示データのページ数とが対応付けて記憶される第三記憶手段を備え、
前記第一決定手段は、
前記第三記憶手段に記憶されている前記表示データ情報のうち所定の前記表示データ情報に対応付けられた前記ページ数を抽出し、抽出された前記ページ数分の前記像の書き換えを行う動作を前記所定動作として行うために必要となる前記目標容量を決定することを特徴とする請求項２に記載の電子機器。
【請求項７】
前記第一決定手段は、
ユーザによって指定される表示データ情報を所定の前記表示データ情報とし、前記所定の表示データ情報に対応付けられた前記ページ数分の前記像の書き換えを行う動作を前記所定動作として行うために必要となる前記目標容量を決定することを特徴とする請求項６に記載の電子機器。
【請求項８】
前記第三記憶手段には、
前記表示手段に表示させる前記表示データをユーザが選択した場合の選択回数が、選択された前記表示データの前記表示データ情報と前記ページ数とに対応付けて記憶されており、
前記第一決定手段は、
前記第三記憶手段に記憶されている前記選択回数のうち最も大きい選択回数に対応付けられている表示データ情報を所定の前記表示データ情報とし、前記所定の表示データ情報に対応付けられた前記ページ数分の前記像の書き換えを行う動作を前記所定動作として行うために必要となる前記目標容量を決定することを特徴とする請求項２に記載の電子機器。
【請求項９】
前記第三記憶手段には、
前記表示手段に表示させる前記表示データをユーザが選択した場合の選択回数が、選択された前記表示データの前記表示データ情報と前記ページ数とに対応付けて記憶されており、
前記第一決定手段は、
前記第三記憶手段に記憶されている前記選択回数から、前記選択回数の多い順に所定数を抽出し、抽出した前記選択回数に対応づけられている前記表示データ情報を所定の前記表示データ情報とし、前記所定の表示データ情報に対応付けられた前記ページ数分の前記像の書き換えを行う動作を前記所定動作として行うために必要となる前記目標容量を決定することを特徴とする請求項２に記載の電子機器。
【請求項１０】
前記第三記憶手段には、
前記表示手段に表示させる前記表示データをユーザが選択した場合の選択回数が、選択された前記表示データの前記表示データ情報と前記ページ数とに対応付けて記憶されており、
前記第一決定手段は、
前記第三記憶手段に記憶されている前記選択回数のうち所定回数以上の選択回数に対応付けられている表示データ情報を所定の前記表示データ情報とし、前記所定の表示データ情報に対応付けられた前記ページ数分の前記像の書き換えを行う動作を前記所定動作として行うために必要となる前記目標容量を決定することを特徴とする請求項２に記載の電子機器。
【請求項１１】
前記第一決定手段は、
前記表示手段に前記終了時期情報を表示させている状態で、ユーザによって指定される前記表示データ情報が変更された場合には、変更後の表示データ情報を所定の前記表示データ情報とし、前記所定の表示データ情報に対応付けられた前記ページ数分の前記像の書き換えを行う動作を前記所定動作として行うために必要となる前記目標容量を決定し、
前記第三決定手段は、
前記第一決定手段において、変更後の前記表示データ情報に基づいて前記目標容量が決定された場合には、新たに決定された前記目標容量に基づいて前記終了時期情報を決定し、
前記通知手段は、
新たな前記目標容量に基づいて前記第三決定手段において決定された前記終了時期情報を、ユーザに対して通知することを特徴とする請求項７に記載の電子機器。
【請求項１２】
前記充電式電池が、ＡＣアダプターを介して充電されているか、ＵＳＢを介して充電されているかを判断する方法判断手段を備え、
前記方法判断手段において、前記ＵＳＢを介して前記充電式電池が充電されていると判断された場合において、
前記第二決定手段は、
前記ＵＳＢを介して前記充電式電池の充電が行われる場合の前記充電時間であるＵＳＢ充電時間と、前記ＡＣアダプターを介して前記充電式電池の充電が行われる場合の前記充電時間であるＡＣ充電時間とを決定し、
前記第三決定手段は、
前記ＵＳＢ充電時間に基づく前記終了時期情報であるＵＳＢ終了時期情報と、前記ＡＣ充電時間とに基づく前記終了時期情報であるＡＣ終了時期情報とを決定し、
前記通知手段は、
前記第三決定手段において決定された前記ＵＳＢ終了時期情報と前記ＡＣ終了時期情報とをユーザに対して通知することを特徴とする請求項１から１１のいずれかに記載の電子機器。
【請求項１３】
前記第三決定手段は、
前記目標容量までの充電が完了する時刻を示す終了時刻情報を決定し、
前記通知手段は、
前記第三決定手段によって決定された前記終了時刻情報をユーザに通知することを特徴とする請求項１から１２のいずれかに記載の電子機器。
【請求項１４】
前記充電式電池への充電を行うための操作の開始を検出する開始検出手段を備え、
前記第一決定手段は、
前記開始検出手段において前記操作が検出された場合に、前記目標容量を決定し、
前記第三決定手段は、
前記開始検出手段において前記操作が検出された場合の時刻を示す開始時刻情報に基づいて前記終了時刻情報を決定することを特徴とする請求項１３に記載の電子機器。
【発明の詳細な説明】
【技術分野】
【０００１】
本発明は電子機器に関する。より詳細には、充電式電池によって駆動する電子機器に関する。
【背景技術】
【０００２】
充電式電池で駆動する電子機器は、一定時間使用されることで充電式電池が消耗され所定の起電力が得られなくなった場合、充電式電池を充電しなければならない。従ってこのような電子機器では、充電式電池の残り使用可能容量や使用可能時間等の概算をユーザに認識させる機能を備えることによって利便性が向上する。例えば特許文献１に記載の表示装置では、電池残量に基づいて表示可能なページ数がユーザに対して通知される。ユーザは、残存する電池容量によって表示可能なページ数を把握することができる。
【先行技術文献】
【特許文献】
【０００３】
【特許文献１】特開２００５−１６４６７２号公報
【発明の概要】
【発明が解決しようとする課題】
【０００４】
上述のような機能を有する電子機器において、使用中に充電式電池が消耗し、残存する電池容量によって所望の処理を実行させることができないと判断された場合、ユーザは充電式電池の充電を行う必要がある。ここでユーザは、所望の処理を電子機器に実行させるために必要な充電式電池の充電時間がわからない。このため、途中で充電を中止すると充電式電池の充電不足によって、充電後も電子機器が所望の処理を実行できない場合があるという問題点があった。
【０００５】
本発明は上述の問題点を解決するためになされたものであり、所望の処理を実行させるために必要な充電が完了する時刻をユーザに対して通知する電子機器を提供することを目的とする。
【課題を解決するための手段】
【０００６】
上述の問題点を解決するために、請求項１に係る発明の電子機器は、充電式電池を電源として動作する電子機器であって、前記充電式電池に残存する容量である残存容量を特定する容量特定手段と、前記電子機器が所定動作を行う場合に必要となる前記充電式電池の容量である目標容量を決定する第一決定手段と、前記第一決定手段によって決定された前記目標容量と、前記容量特定手段において特定された前記残存容量とから、前記充電式電池の容量が前記目標容量となるまで前記充電式電池を充電する場合に必要な時間である充電時間を決定する第二決定手段と、前記第二決定手段において決定された前記充電時間に基づいて、前記充電式電池に対する前記目標容量までの充電が完了する時期を示す終了時期情報を決定する第三決定手段と、前記第三決定手段によって決定された前記終了時期情報をユーザに通知する通知手段とを備えている。
【０００７】
また、請求項２に係る発明の電子機器は、請求項１に記載の発明の構成に加えて、表示中の像を書き換える場合にのみ電力を必要とし、電力の供給が断たれても前記像を保持することが可能な不揮発性の表示手段を備え、前記第一決定手段は、前記所定動作として前記表示手段に表示中の前記像の書き換えを行う場合の書き換えの回数と、書き換えに必要な一回当たりの容量とに基づいて、前記目標容量を決定し、前記通知手段は、前記表示手段に前記終了時期情報を表示させることによってユーザに通知することを特徴とする。
【０００８】
また、請求項３に係る発明の電子機器は、請求項２に記載の発明の構成に加えて、前記像の書き換えを行った回数が記憶される第一記憶手段と、前記第一記憶手段に記憶されている前記回数に基づいて、所定期間内に行われた書き換えの回数の平均である平均回数を決定する平均決定手段とを備え、前記第一決定手段は、前記平均決定手段において決定された前記平均回数分の前記像の書き換えを行う動作を前記所定動作として行う場合に必要となる前記目標容量を決定することを特徴とする。
【０００９】
また、請求項４に係る発明の電子機器は、請求項２に記載の発明の構成に加えて、前記像の書き換えを行った回数が記憶される第一記憶手段と、前記第一記憶手段に記憶されている前記回数に基づいて、所定期間毎の累計回数の最大である最大回数を決定する最大決定手段とを備え、前記第一決定手段は、前記最大決定手段において決定された前記最大回数分の前記像の書き換えを行う動作を前記所定動作として行う場合に必要となる前記目標容量を決定することを特徴とする。
【００１０】
また、請求項５に係る発明の電子機器は、請求項２に記載の発明の構成に加えて、前日に前記像の書き換えを行った回数が記憶される第二記憶手段を備え、前記第一決定手段は、前記第二記憶手段に記憶されている前記回数分の前記像の書き換えを行う動作を前記所定動作として行う場合に必要となる前記目標容量を決定することを特徴とする。
【００１１】
また、請求項６に係る発明の電子機器は、請求項２に記載の発明の構成に加えて、前記表示手段に表示させる前記像のデータである表示データを特定する表示データ情報と、前記表示データのページ数とが対応付けて記憶される第三記憶手段を備え、前記第一決定手段は、前記第三記憶手段に記憶されている前記表示データ情報のうち所定の前記表示データ情報に対応付けられた前記ページ数を抽出し、抽出された前記ページ数分の前記像の書き換えを行う動作を前記所定動作として行うために必要となる前記目標容量を決定することを特徴とする。
【００１２】
また、請求項７に係る発明の電子機器は、請求項６に記載の発明の構成に加えて、前記第一決定手段は、ユーザによって指定される表示データ情報を所定の前記表示データ情報とし、前記所定の表示データ情報に対応付けられた前記ページ数分の前記像の書き換えを行う動作を前記所定動作として行うために必要となる前記目標容量を決定することを特徴とする。
【００１３】
また、請求項８に係る発明の電子機器は、請求項２に記載の発明の構成に加えて、前記第三記憶手段には、前記表示手段に表示させる前記表示データをユーザが選択した場合の選択回数が、選択された前記表示データの前記表示データ情報と前記ページ数とに対応付けて記憶されており、前記第一決定手段は、前記第三記憶手段に記憶されている前記選択回数のうち最も大きい選択回数に対応付けられている表示データ情報を所定の前記表示データ情報とし、前記所定の表示データ情報に対応付けられた前記ページ数分の前記像の書き換えを行う動作を前記所定動作として行うために必要となる前記目標容量を決定することを特徴とする。
【００１４】
また、請求項９に係る発明の電子機器は、請求項２に記載の発明の構成に加えて、前記第三記憶手段には、前記表示手段に表示させる前記表示データをユーザが選択した場合の選択回数が、選択された前記表示データの前記表示データ情報と前記ページ数とに対応付けて記憶されており、前記第一決定手段は、前記第三記憶手段に記憶されている前記選択回数から、前記選択回数の多い順に所定数を抽出し、抽出した前記選択回数に対応づけられている前記表示データ情報を所定の前記表示データ情報とし、前記所定の表示データ情報に対応付けられた前記ページ数分の前記像の書き換えを行う動作を前記所定動作として行うために必要となる前記目標容量を決定することを特徴とする。
【００１５】
また、請求項１０に係る発明の電子機器は、請求項２に記載の発明の構成に加えて、前記第三記憶手段には、前記表示手段に表示させる前記表示データをユーザが選択した場合の選択回数が、選択された前記表示データの前記表示データ情報と前記ページ数とに対応付けて記憶されており、前記第一決定手段は、前記第三記憶手段に記憶されている前記選択回数のうち所定回数以上の選択回数に対応付けられている表示データ情報を所定の前記表示データ情報とし、前記所定の表示データ情報に対応付けられた前記ページ数分の前記像の書き換えを行う動作を前記所定動作として行うために必要となる前記目標容量を決定することを特徴とする。
【００１６】
また、請求項１１に係る発明の電子機器は、請求項７に記載の発明の構成に加えて、前記第一決定手段は、前記表示手段に前記終了時期情報を表示させている状態で、ユーザによって指定される前記表示データ情報が変更された場合には、変更後の表示データ情報を所定の前記表示データ情報とし、前記所定の表示データ情報に対応付けられた前記ページ数分の前記像の書き換えを行う動作を前記所定動作として行うために必要となる前記目標容量を決定し、前記第三決定手段は、前記第一決定手段において、変更後の前記表示データ情報に基づいて前記目標容量が決定された場合には、新たに決定された前記目標容量に基づいて前記終了時期情報を決定し、前記通知手段は、新たな前記目標容量に基づいて前記第三決定手段において決定された前記終了時期情報を、ユーザに対して通知することを特徴とする。
【００１７】
また、請求項１２に係る発明の電子機器は、請求項１から１１のいずれかに記載の発明の構成に加えて、前記充電式電池が、ＡＣアダプターを介して充電されているか、ＵＳＢを介して充電されているかを判断する方法判断手段を備え、前記方法判断手段において、前記ＵＳＢを介して前記充電式電池が充電されていると判断された場合において、前記第二決定手段は、前記ＵＳＢを介して前記充電式電池の充電が行われる場合の前記充電時間であるＵＳＢ充電時間と、前記ＡＣアダプターを介して前記充電式電池の充電が行われる場合の前記充電時間であるＡＣ充電時間とを決定し、前記第三決定手段は、前記ＵＳＢ充電時間に基づく前記終了時期情報であるＵＳＢ終了時期情報と、前記ＡＣ充電時間に基づく前記終了時期情報であるＡＣ終了時期情報とを決定し、前記通知手段は、前記第三決定手段において決定された前記ＵＳＢ終了時期情報と前記ＡＣ終了時期情報とをユーザに対して通知することを特徴とする。
【００１８】
また、請求項１３に係る発明の電子機器は、請求項１から１２のいずれかに記載の発明の構成に加えて、前記第三決定手段は、前記目標容量までの充電が完了する時刻を示す終了時刻情報を決定し、前記通知手段は、前記第三決定手段によって決定された前記終了時刻情報をユーザに通知することを特徴とする。
【００１９】
また、請求項１４に係る発明の電子機器は、請求項１３に記載の発明の構成に加えて、前記充電式電池への充電を行うための操作の開始を検出する開始検出手段を備え、前記第一決定手段は、前記開始検出手段において前記操作が検出された場合に、前記目標容量を決定し、前記第三決定手段は、前記開始検出手段において前記操作が検出された場合の時刻を示す開始時刻情報に基づいて前記終了時刻情報を決定することを特徴とする。
【発明の効果】
【００２０】
請求項１に係る発明の電子機器では、ユーザは、所定動作を電子機器に実行させる為には何時まで充電を行わなければならないかを、終了時期情報によって認識できる。充電を行うための時間が限られている場合に、この限られた時間内で電子機器が所定動作を行える程度に充電を行うことが可能か否かを認識できる。
【００２１】
また、請求項２に係る発明の電子機器では、請求項１に記載の発明の効果に加えて、不揮発性表示手段に表示中の像を書き換える場合の書き換え回数に基づいて、終了時期情報が決定される。ユーザは、所定回数の像の書き換えを電子機器に実行させる為に何時まで充電を行わなければならないかを、終了時期情報によって認識できる。
【００２２】
また、請求項３に係る発明の電子機器では、請求項２に記載の発明の効果に加えて、所定期間内に行われた書き換えの平均回数が決定される。ユーザは、決定された平均回数分の像の書き換えを電子機器に実行させるために何時まで充電を行わなければならないかを、終了時期情報によって認識できる。
【００２３】
また、請求項４に係る発明の電子機器では、請求項２に記載の発明の効果に加えて、所定期間毎の累計回数の最大回数が決定される。ユーザは、決定された最大回数分の像の書き換えを電子機器に実行させるために何時まで充電を行わなければならないかを、終了時期情報によって認識できる。
【００２４】
また、請求項５に係る発明の電子機器では、請求項２に記載の発明の効果に加えて、ユーザは、前日に行った書き換え回数分の像の書き換えを電子機器に実行させるために何時まで充電を行わなければならないかを、終了時期情報によって認識できる。
【００２５】
また、請求項６に係る発明の電子機器では、請求項２に記載の発明の効果に加えて、ユーザは、所定の表示データのページ数分の像の書き換えを電子機器に実行させるために何時まで充電を行わなければならないかを、終了時期情報によって認識できる。
【００２６】
また、請求項７に係る発明の電子機器では、請求項６に記載の発明の効果に加えて、ユーザは、指定した表示データのページ数分の像の書き換えを電子機器に実行させるために何時まで充電を行わなければならないかを、終了時期情報によって認識できる。
【００２７】
また、請求項８に係る発明の電子機器では、請求項２に記載の発明の効果に加えて、ユーザは、選択頻度の最も高い表示データのページ数分の像の書き換えを電子機器に実行させるために何時まで充電を行わなければならないかを、終了時期情報によって認識できる。
【００２８】
また、請求項９に係る発明の電子機器では、請求項２に記載の発明の効果に加えて、ユーザは、選択頻度の比較的高い表示データの全てを電子機器１にて閲覧するために何時まで充電を行わなければならないかを、終了時期情報によって認識できる。
【００２９】
また、請求項１０に係る発明の電子機器では、請求項２に記載の発明の効果に加えて、ユーザは、選択頻度が所定回数以上の表示データの全てを電子機器１にて閲覧するために何時まで充電を行わなければならないかを、終了時期情報によって認識できる。
【００３０】
また、請求項１１に係る発明の電子機器では、請求項７に記載の発明の効果に加えて、ユーザが指定する表示データが変更された場合であっても、変更後の表示データのページ数に基づいて終了時期情報が決定される。ユーザは、変更後の表示データのページ数分の像の書き換えを電子機器に実行させるために何時まで充電を行わなければならないかを、終了時期情報によって認識できる。
【００３１】
また、請求項１２に係る発明の電子機器では、請求項１から１１のいずれかに記載の発明の効果に加えて、ＵＳＢを介して充電式電池を充電する場合、ＡＣアダプターを介して充電式電池を充電する場合と比較して、同容量を充電するために必要となる時間が長い。そこで、ＵＳＢを介して充電式電池を充電している場合には、ＡＣアダプターを介して充電式電池を充電した場合の終了時刻情報（ＡＣ終了時刻情報）を、ＵＳＢ終了時期情報と併せてユーザに対して通知する。これによってユーザは、ＵＳＢを介して充電式電池を充電している場合であっても、ＡＣアダプターを介して充電式電池を充電した場合の終了時期情報を認識できる。
【００３２】
また、請求項１３に係る発明の電子機器では、請求項１から１２のいずれかに記載の発明の効果に加えて、ユーザは、所定動作を電子機器に実行させる為には何時まで充電を行わなければならないかを、終了時刻情報によって認識できる。
【００３３】
また、請求項１４に係る発明の電子機器では、請求項１３に記載の発明の効果に加えて、充電操作が開始された場合に、第一決定手段〜第三決定手段によって終了時刻情報が決定され、通知手段によって終了時刻情報が通知される。電子機器の充電操作時において、何時まで充電を行わなければならないかを認識できる。
【図面の簡単な説明】
【００３４】
【図１】電子機器１の概要を示す模式図である。
【図２】電子機器１の電気的構成を示すブロック図である。
【図３】残存容量と電圧との関係を示すデータの一例を示すグラフである。
【図４】充電時間と電池容量との関係を示すデータの一例を示すグラフである。
【図５】表示テーブルの一例である表示テーブル２７１１を示す模式図である。
【図６】履歴情報の一例である履歴情報２７２１を示す模式図である。
【図７】表示処理を示すフローチャートである。
【図８】終了時刻決定処理を示すフローチャートである。
【図９】表示パネル２２に終了時刻情報が表示された状態の一例を示す模式図である。
【発明を実施するための形態】
【００３５】
以下、本発明に係る電子機器を具現化した電子機器１について、図面を参照して説明する。なおこれらの図面は、本発明が採用しうる技術的特徴を説明するために用いられるものであり、記載されている端末の構成、各種処理のフローチャートなどは、それのみに限定する趣旨ではなく、単なる説明例である。
【００３６】
図１を参照し、電子機器１の概要について説明する。電子機器１は、正面視略長方形状を有している。電子機器１は、略長方形状の表示パネル２２を正面側に備えている。表示パネル２２は、不揮発性の表示素子から構成されている。不揮発性の表示素子は、表示中の像を書き換える場合にのみ電力を必要とし、電力の供給が断たれても表示中の像を保持することが可能であるという特性を有している。表示パネル２２としては、従来周知の様々な不揮発性の表示素子が使用可能である。例えば、マイクロカプセル方式や電気泳動式等の不揮発性の表示素子が使用可能である。
【００３７】
電子機器１は、表示パネル２２の右側に、上下方向に並んだ複数の選択ボタン１５を備えている。選択ボタン１５は、表示パネル２２のうち選択ボタン１５の左側部分に表示される選択メニューのうちいずれかを選択する場合に使用される。例えば本実施の形態では、表示パネル２２に終了時刻情報を表示させる場合の表示モードが、選択ボタン１５を介して選択される（詳細は後述する）。
【００３８】
電子機器１は、選択ボタン１５の右側に、電源スイッチ３３と設定ボタン１３と操作ボタン１４とを備えている。上から順に、電源スイッチ３３、設定ボタン１３、操作ボタン１４の順で並んでいる。電源スイッチ３３は、電子機器１の電源のＯＮ／ＯＦＦを切り替える場合に、ユーザによって押下される。設定ボタン１３と操作ボタン１４とは、表示パネル２２上に表示される表示データに対する設定や操作等を行う場合に、ユーザによって押下される。
【００３９】
電子機器１は、充電式電池（以下、単に「電池」という。）３１（図２参照）を備えている。電子機器１は、電池３１を電源として動作する。電池３１としては、充電式の電池であれば特段限定されず、従来周知の充電式電池が使用可能である。例えば、リチウムイオン電池やニッケル水素電池等が使用可能である。
【００４０】
電子機器１は、ＵＳＢ（Universal Serial Bus）ケーブル１６が接続されるＵＳＢコネクタ１９を備えている。電子機器１は、ＵＳＢケーブル１６を介してＰＣ等と接続する。ＵＳＢケーブル１６を介して電子機器１がＰＣと接続した状態で、電子機器１とＰＣ等との間でデータ通信が可能となる。加えて、ＵＳＢケーブル１６を介して電子機器１がＰＣ等と接続した場合に、ＵＳＢケーブル１６のＶｂｕｓ端子を介して電池３１が充電される。
【００４１】
電子機器１は、ＡＣアダプター１７が接続され、直流電源が供給されるＤＣコネクタ２０を備えている。ＡＣアダプター１７を介して電子機器１が商用電源に接続された場合に、電池３１が充電される。
【００４２】
図２を参照し、電子機器１の電気的構成について説明する。電子機器１は、ＣＰＵ２１とＲＯＭ２４とＲＡＭ２５とを備えている。ＣＰＵ２１は、表示パネル２２の表示制御等を司る。ＲＯＭ２４には、プログラムや初期パラメータ等が記憶される。ＲＡＭ２５には、カウンタやタイマ、フラグ等の情報が記憶される。ＣＰＵ２１はＲＯＭ２４と電気的に接続している。ＣＰＵ２１はＲＡＭ２５と電気的に接続している。ＣＰＵ２１は、ＲＯＭ２４とＲＡＭ２５との記憶領域にアクセスできる。
【００４３】
電子機器１は、メモリカードスロット２６を備えている。メモリカードスロット２６には、メモリカード３５が挿入される。メモリカード３５は、表示データ記憶領域３５１を少なくとも備えている。表示データ記憶領域３５１には、表示パネル２２に表示させる表示データが記憶される。ＣＰＵ２１はメモリカードスロット２６を介してメモリカード３５と電気的に接続する。ＣＰＵ２１は、メモリカード３５の記憶領域にアクセスできる。
【００４４】
電子機器１は、ＥＥＰＲＯＭ２７を備えている。ＥＥＰＲＯＭ２７は、表示テーブル記憶領域２７１と履歴情報記憶領域２７２とその他の情報記憶領域２７３とを少なくとも備えている。表示テーブル記憶領域２７１には、表示テーブルが記憶される。履歴情報記憶領域２７２には、履歴情報が記憶される。表示テーブル及び履歴情報の詳細については後述する。ＣＰＵ２１はＥＥＰＲＯＭ２７と電気的に接続する。ＣＰＵ２１は、ＥＥＰＲＯＭ２７の記憶領域にアクセスできる。
【００４５】
電子機器１は、表示パネル２２と表示制御部２３とを備えている。表示制御部２３は、表示パネル２２の駆動制御を行う。ＣＰＵ２１は表示制御部２３と電気的に接続する。表示制御部２３は表示パネル２２と接続する。ＣＰＵ２１は、表示制御部２３を介して表示パネル２２に所望の像を表示させることができる。
【００４６】
電子機器１は、電源スイッチ３３を備えている。ＣＰＵ２１は電源スイッチ３３と電気的に接続する。ＣＰＵ２１は、ユーザによって電源スイッチ３３が押下されたことを検出できる。電子機器１は、選択ボタン１５と設定ボタン１３と操作ボタン１４（以下、これらを総称して「入力部３４」という。）とを備えている。ＣＰＵ２１は入力部３４と電気的に接続する。ＣＰＵ２１は、ユーザによって入力部３４が操作されたことを検出できる。
【００４７】
電子機器１は、ＵＳＢコネクタ１９とＤＣコネクタ２０と充電制御部３０と電池３１とを備えている。ＵＳＢコネクタ１９にはＵＳＢケーブル１６が接続される。ＤＣコネクタ２０にはＡＣアダプター１７が接続される。ＵＳＢコネクタ１９とＤＣコネクタ２０とは、充電制御部３０と接続する。ＣＰＵ２１は充電制御部３０と接続する。電池３１は、充電制御部３０と接続する。
【００４８】
充電制御部３０は、供給される電流の切り替え制御を行う。ＵＳＢコネクタ１９又はＤＣコネクタ２０を介して電流が充電制御部３０に供給されている場合、電流はＣＰＵ２１と電池３１との両方に振り分けられて供給される。この状態では、ＵＳＢコネクタ１９又はＤＣコネクタ２０を介して供給される電流によってＣＰＵ２１が駆動し、電池３１は充電される。一方、電池３１を介して電流が充電制御部３０に供給されている場合、電流はＣＰＵ２１に供給される。この状態では、電池３１から供給される電流によってＣＰＵ２１が駆動する。また充電制御部３０は、ＵＳＢコネクタ１９又はＤＣコネクタ２０を介して電流が充電制御部３０に供給されているか否かを、ＵＳＢコネクタ１９又はＤＣコネクタ２０の種別とともにＣＰＵ２１に通知することができる。また充電制御部３０は、ＣＰＵ２１からの制御によって、電池３１への電流供給の可否を切り替えることができる。
【００４９】
電子機器１は、電圧検出回路３２を備えている。電圧検出回路３２は、電池３１の電圧を検出する。電圧検出回路３２では、電池３１の電圧が抵抗等によって分圧される。分圧された電圧がＡ／Ｄコンバータによってデジタル信号に変換される。ＣＰＵ２１は、Ａ／Ｄコンバータによって変換されたデジタル信号を検出することによって、電池３１の電圧を検出する。電圧検出回路３２は、ＣＰＵ２１と電気的に接続する。電池３１は、電圧検出回路３２と接続する。
【００５０】
電池３１の特性について、図３及び図４を参照して説明する。はじめに、電池３１の残存容量と電圧との関係について、図３を参照して説明する。電池３１に残存する容量（以下「残存容量」という。）と、電池３１の電圧とは、図３の曲線３１１の関係を示す。ＣＰＵ２１は、この関係に基づいて、電圧検出回路３２によって検出された電圧から残存容量を特定する。具体的には、曲線３１１の関係を表す関係式（以下「第一関係式」という。）が、ＥＥＰＲＯＭ２７のその他の情報記憶領域２７３に記憶されている。ＣＰＵ２１は、第一関係式に電池３１の電圧を代入することによって、残存容量を特定する。
【００５１】
例えば、電圧検出回路３２によって検出された電池３１の電圧が３．５Ｖであった場合、残存容量は１２００ｍＡｈであると特定される（図中矢印Ａ）。電圧検出回路３２によって検出された電池３１の電圧が３．２５Ｖであった場合、残存容量は１５０ｍＡｈであると特定される（図中矢印Ｂ）。
【００５２】
ＵＳＢケーブル１６又はＡＣアダプター１７を介して電池３１が充電される場合の充電特性について、図４を参照して説明する。ＵＳＢケーブル１６又はＡＣアダプター１７を介して充電される容量と、充電に必要な時間（以下「充電時間」という。）とは、図４の曲線３１２、曲線３１３の関係を示す。ＡＣアダプター１７を介して充電された場合の関係が、曲線３１２に相当する。ＵＳＢケーブル１６を介して充電された場合の関係が、曲線３１３に相当する。
【００５３】
ＣＰＵ２１は、これら関係に基づいて、必要な充電時間を特定する。具体的には、曲線３１２の関係を示す関係式（以下「第二関係式」という。）と、曲線３１３の関係を示す関係式（以下「第三関係式」という。）とが、ＥＥＰＲＯＭ２７のその他の情報記憶領域２７３に記憶されている。ＣＰＵ２１は、第二関係式又は第三関係式に残存容量等を代入することによって、充電時間を特定する。ＡＣアダプター１７を介して充電される場合には、第二関係式が参照される。ＵＳＢケーブル１６を介して充電される場合には、第三関係式が参照される。
【００５４】
例えば、残存容量が４００ｍＡｈであり、最終的に充電される容量が８００ｍＡである場合に、ＡＣアダプター１７を介して電池３１が充電される場合には、充電時間は約３０分であると特定される（図中矢印Ｃ）。ＵＳＢケーブル１６を介して電池３１が充電される場合には、充電時間は約４５分であると特定される（図中矢印Ｄ）。
【００５５】
表示テーブル記憶領域２７１に記憶される表示テーブルの一例である表示テーブル２７１１について、図５を参照して説明する。表示テーブル２７１１には、表示データのファイル名と、表示データのページ数と、表示パネル２２に表示させる表示データをユーザが選択した場合の選択回数とが対応付けて記憶されている。ＣＰＵ２１は、表示パネル２２に表示させる表示データがユーザによって選択された場合に、表示テーブル２７１１のうち選択された表示データに対応する選択回数の情報を１加算して更新する。ファイル名が示す表示データ自体は、メモリカード３５の表示データ記憶領域３５１に記憶されている。図５に示す例では、ファイル名が「ＡＡＡ．ｄｏｃ」である表示データのページ数として「１０２ページ」が記憶され、選択回数として「５回」が記憶されている。ファイル名が「ＢＢＢ．ｄｏｃ」である表示データのページ数として「３５ページ」が記憶され、選択回数として「８回」が記憶されている。
【００５６】
履歴情報記憶領域２７２に記憶される履歴情報の一例である履歴情報２７２１について、図６を参照して説明する。履歴情報２７２１には、日時を示す日時情報と、表示パネル２２に表示中の表示データが該当日時に書き換えられた場合の書き換えの回数とが対応付けて記憶されている。ＣＰＵ２１は、表示パネル２２に表示中の表示データが書き換えられた場合に、履歴情報２７２１のうち回数の情報を１加算して更新する。図６に示す例では、「２００９件７月７日」に実行された書き換えの回数として「５０回」が記憶されている。「２００９年７月６日」に実行された書き換えの回数として「２００回」が記憶されている。
【００５７】
図７及び図８のフローチャートを参照し、ＣＰＵ２１において実行される表示処理について説明する。表示処理は、ＣＰＵ２１によって所定の周期（例えば１ｓ）で繰り返し起動され、実行される。
【００５８】
なお本実施の形態では、表示データ記憶領域３５１に記憶されている表示データのうちいずれか一つが、予め選択ボタン１５を介してユーザによって選択されていることとする。選択された表示データの情報は、ＥＥＰＲＯＭ２７のその他の情報記憶領域２７３に記憶される。
【００５９】
また本実施の形態では、充電が終了する時刻の情報（以下、「終了時刻情報」という。）を表示パネル２２に表示させる場合の表示モードが、予め選択ボタン１５を介してユーザによって選択されていることとする。表示モードとしては、（１）過去の１日当たりの書き換え回数の平均回数に基づく終了時刻情報が表示されるモード（第一モード）、（２）過去の１日当たりの書き換え回数の最大回数に基づく終了時刻情報が表示されるモード（第二モード）、（３）前日に実行された書き換え回数に基づく終了時刻情報が表示されるモード（第三モード）、（４）予め選択された表示データのページ数に基づく終了時刻情報が表示されるモード（第四モード）、（５）ユーザによって選択された回数の最も多い表示データのページ数に基づく終了時刻情報が表示されるモード（第五モード）、（６）ユーザによって選択された回数が多い順に５番目以内である表示データのページ数に基づく終了時刻情報が表示されるモード（第六モード）、（７）ユーザによって選択された回数が予め設定された回数より多い表示データのページ数に基づく終了時刻情報が表示されるモード（第七モード）がある。終了時刻情報は、電池３１の充電が開始された場合に表示パネル２２に表示される。終了時刻情報は、各表示モードにおいて特定される回数やページ数分表示の書き換えを行う所定動作を電子機器１に実行させるために、何時まで充電を行う必要があるかを示す情報である。ユーザによって選択された表示モードの情報は、ＥＥＰＲＯＭ２７のその他の情報記憶領域２７３に記憶される。
【００６０】
図７に示すように、表示処理が起動されると、はじめに、ＵＳＢケーブル１６又はＡＣアダプター１７がＵＳＢコネクタ１９又はＤＣコネクタ２０に接続され、電池３１の充電が開始されたかが判断される（Ｓ１１）。充電制御部３０からの通知がなく、電池３１の充電が開始されていない場合（Ｓ１１：ＮＯ）、Ｓ１１に戻る。そして、継続して電池３１への充電開始が監視される。
【００６１】
一方、ＵＳＢケーブル１６又はＡＣアダプター１７が接続されたことによって、充電制御部３０から通知が検出された場合、この時点の時刻の情報（以下「開始時刻情報」という。）がＲＡＭ２５に記憶される。なおこの状態では、電池３１への電流供給が禁止されるように充電制御部３０が制御されている。従って、電池３１への充電は開始されていない。次いで、ＵＳＢケーブル１６とＡＣアダプター１７とのうちいずれが接続されたかが、充電制御部３０からの通知によって判断される（Ｓ１２）。次いで、終了時刻情報を決定する処理（終了時刻決定処理）が実行される（Ｓ１３）。
【００６２】
終了時刻決定処理について、図８を参照して説明する。終了時刻決定処理では、はじめに、電池３１の残存容量が特定される（Ｓ３１）。電圧検出回路３２を介して検出された電池３１の電圧が、その他の情報記憶領域２７３に記憶されている第一関係式に代入されることによって、残存容量が特定される。
【００６３】
次いで、その他の情報記憶領域２７３に記憶されている表示モードに基づき、書き換え回数が決定される（Ｓ３３）。表示モードが第一モードである場合、過去の１日当たりの書き換え回数の平均回数が以下のようにして算出される。履歴情報記憶領域２７２に記憶されている履歴情報が参照される。履歴情報に記憶されている書き換えの回数の累計が算出される。算出された累計が、履歴情報に記憶されている日数によって除算される。算出された回数が、第一モードにおける書き換え回数（平均回数）として決定される。
【００６４】
表示モードが第二モードである場合、過去の１日当たりの書き換え回数の最大回数が以下のようにして決定される。履歴情報記憶領域２７２に記憶されている履歴情報が参照される。履歴情報として記憶されている１日当たりの書き換えの回数のうち最も大きい回数が抽出される。抽出された回数が、第二モードにおける書き換え回数（最大回数）として決定される。
【００６５】
表示モードが第三モードである場合、前日に実行された書き換えの回数が以下のようにして決定される。履歴情報記憶領域２７２に記憶されている履歴情報が参照される。前日の履歴情報として記憶されている書き換え回数が抽出される。抽出された回数が、第三モードにおける書き換え回数（前日の書き換え回数）として決定される。
【００６６】
表示モードが第四モードである場合、指定されている表示データのページ数が書き換え回数として以下のように決定される。ユーザによって予め選択されている表示データが、その他の情報記憶領域２７３に記憶されている情報から特定される。表示テーブル記憶領域２７１に記憶されている表示テーブルが参照される。特定された表示データのファイル名に対応するページ数が抽出される。抽出されたページ数が、第四モードにおける書き換え回数（指定表示データのページ数）として決定される。
【００６７】
表示モードが第五モードである場合、選択された回数の多い表示データのページ数が書き換え回数として以下のように決定される。履歴情報記憶領域２７２に記憶されている履歴情報が参照される。最も大きい選択回数に対応付けられているページ数が抽出される。抽出されたページ数が、第五モードにおける書き換え回数（選択回数の大きい表示データのページ数）として決定される。上述のようにして決定された書き換え回数はＲＡＭ２５に記憶される。
【００６８】
表示モードが第六モードである場合、選択された回数の多い順に５番目以内である表示データのページ数の総数が、書き換え回数として以下のように決定される。履歴情報記憶領域２７２に記憶されている履歴情報が参照される。選択回数が多い順に５番目以内の表示データに対応付けられているページ数が抽出される。抽出されたページ数の累計が、第六モードにおける書き換え回数（選択回数の大きい表示データのページ数）として決定される。上述のようにして決定された書き換え回数はＲＡＭ２５に記憶される。
【００６９】
表示モードが第七モードである場合、選択された回数が所定回数以上の表示データのページ数の総数が、書き換え回数として以下のように決定される。ユーザによって予め決定されている所定選択回数が、その他の情報記憶領域２７３に記憶されている情報から特定される。履歴情報記憶領域２７２に記憶されている履歴情報が参照される。選択回数が所定回数以上の表示データに対応付けられているページ数が抽出される。抽出されたページ数の累計が、第七モードにおける書き換え回数（選択回数の大きい表示データのページ数）として決定される。上述のようにして決定された書き換え回数はＲＡＭ２５に記憶される。
【００７０】
次いで、表示パネル２２の表示を、Ｓ３３において決定された書き換え回数分書き換える場合に必要な容量（以下「目標容量」という。）が決定される（Ｓ３５）。目標容量は、書き換え回数分の書き換えが1日間で実行されることを想定して決定される。
【００７１】
目標容量は、例えば以下のようにして算出される。Ｓ３３において、書き換え回数（Ｎと表記する）が１０００回と決定されたものと仮定する。電子機器１における待機中の消費電流（Ｓ１と表記する）が１ｍＡであるとする。１回書き換えを行った場合の消費電流（Ｓ２と表記する）が０．１ｍＡｈであるとする。この場合、目標容量（Ｍと表記する）は、以下の式によって１２４ｍＡｈと算出される。
M(mAh) ＝ S1(mA)×24(ｈ)＋S2(mAh)×Ｎ(回) ＝ 1×24＋0.1×1000 ＝ 124(mAh)
【００７２】
なお、本実施の形態では、書き換え回数分の書き換えが一日間で実行されることを想定して決定されていたが、本発明はこの方法に限定されない。書き換え回数分の書き換えが二日以上の間で実行されることを想定し、目標容量が決定されてもよい。
【００７３】
次いで、Ｓ３１において特定された残存容量と、Ｓ３５において決定された目標容量とから、充電時間が決定される（Ｓ３７）。その他の情報記憶領域２７３に記憶されている第二関係式又は第三関係式に、残存容量と目標容量とを代入することによって、充電時間が特定される。ＡＣアダプター１７が接続されている場合には第二関係式が参照される。ＵＳＢケーブル１６が接続されている場合には第三関係式が参照される。
【００７４】
次いで、Ｓ３７において決定された充電時間に基づいて、終了時刻情報が決定される（Ｓ３９）。終了時刻情報は、充電開始が検出された場合（Ｓ１１、図７参照）においてＲＡＭ２５に記憶された開始時刻情報にて特定される開始時刻に、Ｓ３７において決定された充電時間を加算することによって算出される。例えば、開始時刻が「１１時００分」であって充電時間が「１２分」である場合、終了時刻情報「１１時１２分」となる。そして終了時刻決定処理は終了し、表示処理（図７参照）に戻る。
【００７５】
終了時刻決定処理において終了時刻情報が決定された後、図７に示すように、決定された終了時刻情報を表示パネル２２に表示させる（Ｓ１５）。次いで、充電制御部３０が制御され、電池３１への電流供給が開始される。電池３１の充電が開始される（Ｓ１７）。
【００７６】
終了時刻が表示パネル２２に表示された様子について、図９を参照して説明する。図１０に示すように、電子機器１がＵＳＢケーブル１６を介してＰＣ１８と接続された場合、ＵＳＢケーブル１６を介して電池３１が充電された場合の終了時刻情報（１１：１２）が表示パネル２２に表示される（図中４１）。
【００７７】
電池３１の充電が開始された後、Ｓ１３において決定されＲＡＭ２５に記憶された書き換え回数に変更が生じたかが判断される（Ｓ１９）。書き換え回数に変更が生じる場合としては、例えばユーザが表示モードを変更する入力操作を行った場合がある。また例えば、表示モードが第四モードの場合であって、入力部３４を介してユーザが表示データの指定を変更する入力操作を行った場合がある。
【００７８】
書き換え回数に変更が生じた場合（Ｓ１９：ＹＥＳ）、変更後の書き換え回数に基づいて終了時刻情報を再度決定し、表示パネル２２に表示しなおす必要がある。そこで、充電制御部３０を制御して電池３１への充電を停止させる（Ｓ２１）。そしてＳ１３に戻り、変更後の書き換え回数に基づいて終了時刻を再度決定するために上述の処理が繰り返し実行される。
【００７９】
一方、書き換え回数に変更が生じていない場合には（Ｓ１９：ＮＯ）、現在時刻の情報と、終了時刻情報とが比較される（Ｓ２３）。未だ現在時刻が終了時刻よりも前である場合（Ｓ２３：ＮＯ）、電池３１の容量は目標容量に達しておらず、電池３１への充電が終了していない状態である。この場合、Ｓ１９に戻り、上述の処理が繰り返し実行される。一方、現在時刻と終了時刻とが一致した場合（Ｓ２３：ＹＥＳ）、電池３１の容量が目標容量に達しており、電子機器１は、決定された書き換え回数分表示を書き換えることが可能な状態である。この場合、電池３１の容量が目標容量に達した旨（「必要最低限の充電が終了しました。」など）を表示パネル２２に表示させ、ユーザに通知する（Ｓ２５）。そして表示処理は終了する。
【００８０】
以上説明したように、ユーザは、表示モードを選択することによって、所望する動作（所望の書き換え回数分表示を書き換える動作）を選択する。電子機器１は、選択された表示モードによって特定される書き換え回数分表示を書き換える処理を実行するために必要な電池３１の容量を算出し、終了時刻情報をユーザに対して通知する。ユーザは、表示モードに応じた書き換え回数分表示を書き換える動作を実行させるために、何時まで充電を行わなければならないかを、終了時刻情報によって認識できる。ユーザは、所望する動作（表示の書き換え）を電子機器１に実行させる為に、何時まで充電を行わなければならないかを認識することができる。
【００８１】
第一モードが選択された場合には、過去の一日当たりの平均回数分表示の書き換えを行うために必要な容量が算出され、終了時刻情報が決定される。ユーザは、平均的な操作頻度で電子機器１を使用するためには、どの程度充電を行えばよいかを認識できる。第二モードが選択された場合には、過去の一日当たりの最大書き換え回数分表示の書き換えを行うために必要な容量が算出され、終了時刻情報が決定される。ユーザは、操作頻度が高い状況で電子機器１を使用する為には、どの程度充電を行えばよいかを認識できる。第三モードが選択された場合には、前日の書き換え回数分表示の書き換えを行うために必要な容量が算出され、終了時刻情報が決定される。ユーザは、前日実行した操作頻度と同等の頻度で電子機器１を使用する為には、どの程度充電を行えばよいかを認識できる。第四モードが選択された場合には、指定された表示データのページ数分表示の書き換えを行うために必要な容量が算出され、終了時刻情報が決定される。ユーザは、所望の表示データの全てを電子機器１にて閲覧するためには、どの程度充電を行えばよいかを認識できる。第五モードが選択された場合には、選択頻度の最も高い表示データのページ数分表示の書き換えを行うために必要な容量が算出され、終了時刻情報が決定される。ユーザは、選択頻度の最も高い表示データの全てを電子機器１にて閲覧する為には、どの程度充電を行えばよいかを認識できる。第六モードが選択された場合には、選択頻度の比較的高い表示データのページ数分表示の書き換えを行うために必要な容量が算出され、終了時刻情報が決定される。ユーザは、選択頻度の比較的高い表示データの全てを電子機器１にて閲覧する為には、どの程度充電を行えばよいかを認識できる。第七モードが選択された場合には、選択頻度が所定回数以上の表示データのページ数分表示の書き換えを行うために必要な容量が算出され、終了時刻情報が決定される。ユーザは、選択頻度が所定回数以上の表示データの全てを電子機器１にて閲覧する為には、どの程度充電を行えばよいかを認識できる。
【００８２】
なお、図８のＳ３１の処理を行うＣＰＵ２１が本発明の「容量特定手段」に相当し、Ｓ３５の処理を行うＣＰＵ２１が本発明の「第一決定手段」に相当し、Ｓ３７の処理を行うＣＰＵ２１が本発明の「第二決定手段」に相当し、Ｓ３９の処理を行うＣＰＵ２１が本発明の「第三決定手段」に相当する。図７のＳ１５の処理を行うＣＰＵ２１が本発明の「通知手段」に相当する。図１の表示パネル２２が本発明の「表示手段」に相当する。履歴情報記憶領域２７２を備えた図２のＥＥＰＲＯＭ２７が本発明の「第一記憶手段」「第二記憶手段」に相当する。表示テーブル記憶領域２７１を備えた図２のＥＥＰＲＯＭ２７が本発明の「第三記憶手段」に相当する。図７のＳ１１の処理を行うＣＰＵ２１が本発明の「開始検出手段」に相当する。表示モードが第一モードである場合に、図８のＳ３３において平均回数を決定する処理を行うＣＰＵ２１が本発明の「平均決定手段」に相当する。表示モードが第二モードである場合に、図８のＳ３３において最大回数を決定する処理を行うＣＰＵ２１が本発明の「最大決定手段」に相当する。
【００８３】
なお、本発明は上記実施の形態に限定されるものではなく、種々の変更が可能である。上述の実施の形態では、ＡＣアダプター１７が接続された場合には、第二関係式が参照され、ＡＣアダプター１７を介して充電された場合の終了時刻情報が決定された。ＵＳＢケーブル１６が接続された場合には、第三関係式が参照され、ＵＳＢケーブル１６を介して充電された場合の終了時刻情報が算出された。しかしながら本発明はこの方法に限定されない。例えば、ＵＳＢケーブル１６が接続された場合には、ＵＳＢケーブル１６を介して充電された場合の終了時刻情報と、ＡＣアダプター１７を介して充電された場合の終了時刻情報との両方を算出してもよい。そして、両方の終了時刻を表示パネル２２に表示させてもよい。
【００８４】
具体的には、図８のＳ３７において、ＵＳＢケーブル１６を介して充電が行われた場合の充電時間（ＵＳＢ充電時間）と、ＡＣアダプター１７を介して充電が行われた場合の充電時間（ＡＣ充電時間）とが決定される。そしてＳ３９において、ＵＳＢ充電時間に基づいて終了時刻情報が決定されるとともに、ＡＣ充電時間に基づいて終了時刻情報が決定される。決定された双方の終了時刻情報が、図７のＳ１５において表示パネル２２に表示される。
【００８５】
一般的に、ＵＳＢケーブル１６を介して電池３１が充電された場合、ＡＣアダプター１７を介して充電された場合と比較して充電時間が長い。従って、ＵＳＢケーブル１６を介して電池３１が充電されている場合に、ＡＣアダプター１７を介して充電された場合の終了時刻情報を表示させることによって、ＡＣアダプター１７を介して充電された場合にどの位の終了時刻で充電を終了させることができるかを、ユーザに通知することができる。ユーザは必要に応じて、ＡＣアダプター１７に切り替えて電池３１の充電を行うことが可能となる。
【００８６】
また例えば、ＡＣアダプター１７が接続された場合には、ＡＣアダプター１７を介して充電された場合の終了時刻情報とともに、ＵＳＢケーブル１６を介して充電された場合の終了時刻情報を算出してもよい。そして、両方の終了時刻情報を表示パネル２２に表示させてもよい。
【００８７】
上述の実施の形態では、表示パネル２２として不揮発性の表示素子を使用していたが、本発明はこの構成に限定されず、従来周知の様々な表示素子を表示パネル２２として使用することができる。例えば、ＬＣＤや有機ＥＬディスプレイなどが使用可能である。
【００８８】
上述の実施の形態では、充電開始時刻情報に基づいて終了時刻情報を算出し、表示パネル２２に表示させていた。しかしながら本発明はこの方法に限定されない。Ｓ３７（図８参照）において算出された充電時間を表示パネル２２に表示させ、充電終了までに要する時間をユーザに対して通知してもよい。これによって例えば、充電が開始されていない場合であっても、所望の書き換え回数分表示を書き換える動作を電子機器１に実行させるために必要な充電時間を、ユーザに対して通知することができる。また、充電に要する残りの時間を表示パネル２２に表示させてもよい。例えば「残り○○分です。」のような文字を表示パネル２２に表示させてもよい。これによって充電が終了する迄にあとどの位の時間を要するかを、ユーザに対して通知することができる。
【００８９】
上述の実施の形態では、表示モードを選択することによって、ユーザは所望する動作（所望の書き換え回数分表示を書き換える動作）を選択していた。電子機器１は、選択された表示モードによって特定される書き換え回数分表示を書き換える処理を実行するために必要な電池３１の容量を算出し、終了時刻情報をユーザに対して通知していた。しかしながら本発明はこの構成に限定されない。例えばユーザは、直接書き換え回数を電子機器１に入力してもよい。電子機器１は、入力された書き換え回数分表示を書き換える処理を実行するために必要な電池３１の容量を算出して終了時刻情報を決定し、ユーザに対して通知してもよい。
【００９０】
上述の実施の形態では、表示モードが第一モードである場合に、一日当たりの平均回数が書き換え回数として算出されていた。しかしながら本発明はこの方法に限定されない。平均回数は二日当たりの平均回数であってもよい。同様に、表示モードが第二モードである場合に、最大回数は一日当たりの最大回数でなくともよい。二日当たりの最大回数であってもかまわない。
【００９１】
上述の実施の形態では、表示モードが第六モードである場合に、選択された回数の多い順に５番目以内である表示データのページ数の総数を書き換え回数として決定していた。しかしながら本発明はこの構成に限定されない。例えば、選択された回数の多い順に５番目以内である表示データのページ数の平均を算出し、書き換え回数として決定してもよい。また表示モードが第六モードである場合に、選択された回数が所定回数以上の表示データのページ数の総数を書き換え回数として決定していた。しかしながら本発明はこの構成に限定されない。例えば、選択された回数が所定回数以上の表示データのページ数の平均を算出し、書き換え回数として決定してもよい。
【符号の説明】
【００９２】
１      電子機器
１６    ＵＳＢケーブル
１７    ＡＣアダプター
２１    ＣＰＵ
２２    表示パネル
３１    電池
３４    入力部
３５    メモリカード
２７    ＥＥＰＲＯＭ
２７１  表示テーブル記憶領域
２７２  履歴情報記憶領域
【図１】
2011036042.tif 000003
【図２】
2011036042.tif 000004
【図３】
2011036042.tif 000005
【図４】
2011036042.tif 000006
【図５】
2011036042.tif 000007
【図６】
2011036042.tif 000008
【図７】
2011036042.tif 000009
【図８】
2011036042.tif 000010
【図９】
2011036042.tif 000011